(57)【要約】本発明は，スプーンおよび箸の供給装置に関する。スプーン／箸排出口２４が形成されたケース部２０と；複数のスプーン／箸１０のセットを収納し，上記ケース部内に回転可能となるように収容されたスプーン／箸収納部３０と；上記スプーン／箸収納部３０に収納されたスプーン／箸１０が順次排出されるように，上記スプーン／箸収納部３０の回転を調節し，上記スプーン／箸収納部３０に結合された回転調節部４０と；を含むことを特徴とする。かかる構成により，複数のスプーンと箸を簡単かつ便利に収納できるだけでなく，収納された複数のスプーンと箸を順次に１セットずつ排出することができる。
2006521831.tif 000002
【特許請求の範囲】
【請求項１】
スプーン／箸排出口が形成されたケース部と；
複数のスプーン／箸のセットを収納し，前記ケース部内に回転可能に収容されたスプーン／箸収納部と；
前記スプーン／箸収納部に収納されたスプーン／箸が順次排出されるように，前記スプーン／箸収納部の回転を調節し，前記スプーン／箸収納部に結合された回転調節部と；
を含むことを特徴とする，スプーンおよび箸の供給装置。
【請求項２】
前記ケース部は，
前記スプーン／箸収納部が収容されるケース本体と；
前記スプーン／箸収納部にスプーン／箸を挿入させる，前記ケース本体に取り外し可能に結合された開口カバーと；
を含むことを特徴とする，請求項１に記載のスプーンおよび箸の供給装置。
【請求項３】
前記ケース本体および前記開口カバーのうち，いずれか一方には結合突起が形成され，
他方には前記結合突起と対応した結合ホールが形成されたことを特徴とする，請求項２に記載のスプーンおよび箸の供給装置。
【請求項４】
前記スプーン／箸収納部は，
回転可能に前記回転調節部と結合された回転軸と；
前記回転軸と全体的に回転される回転体と；
複数のスプーン／箸収納空間が形成され，前記回転体の外周面上に軸方向に配置された複数のスプーン／箸収納溝と；
を含むことを特徴とする，請求項１に記載のスプーンおよび箸の供給装置。
【請求項５】
前記回転調節部は，
前記ケース部に結合されたカバー部材と；
前記カバー部材を貫通して，前記スプーン／箸収納部の回転軸と結合された回転調節レバーと；
を含むことを特徴とする，請求項４に記載のスプーンおよび箸の供給装置。
【請求項６】
前記回転調節部は，
前記ケース部に結合されたカバー部材と；
前記カバー部材に内蔵されて，前記スプーン／箸収納部の回転軸と結合され，複数の掛け部が外周に沿って形成された回転部材と；
前記カバー部材に設けられ，前記回転部材を段階的に回転するように掛け部を加圧する加圧部材と；
を含むことを特徴とする，請求項４に記載のスプーンおよび箸の供給装置。
【請求項７】
前記加圧部材は，
前記カバー部材の外部に突出したボタンと；
前記ボタンの一端部から伸長した延長ロッドと；
前記ボタンを弾力的に支持する第１弾性部材と；
前記ボタンが押圧される動作に連動し，前記回転部材の掛け部を加圧する加圧バーと；
を含むことを特徴とする，請求項６に記載のスプーンおよび箸の供給装置。
【請求項８】
前記回転部材の一表面には，放射状に複数のリブが突出形成され，
前記延長ロッドと接触および離隔される第１羽根部と，前記回転部材のリブと接触および離隔される第２羽根部とを有し，前記カバー部材にヒンジ動作をするように結合され，前記回転部材の回転を制限するストッパーをさらに含むことを特徴とする，請求項７に記載スプーンおよび箸の供給装置。
【請求項９】
前記ボタンが押圧されるとき，前記加圧部材の延長ロッドが前記ストッパーの第１羽根部に接触すると同時に，前記回転部材のリブが前記ストッパーの第２羽根部と接触することを特徴とする，請求項８に記載のスプーンおよび箸の供給装置。
【請求項１０】
前記第１弾性部材は，コイルばねを含むことを特徴とする，請求項７に記載のスプーンおよび箸の供給装置。
【請求項１１】
前記カバー部材および前記回転部材の第１表面のうち，少なくとも一方には複数の支持突起が形成され，
他方には前記支持突起と対応して複数の支持溝が形成され，
前記ボタンが押圧されると，前記支持突起および前記支持溝が，相互に弾力的に係合され，前記第１カバー部材に対応して前記回転部材の位置を維持できるように，前記回転部材の第２表面と前記カバー部材の間に挟まれた第２弾性部材をさらに含むことを特徴とする，請求項７に記載のスプーンおよび箸の供給装置。
【請求項１２】
前記第２弾性部材は，コイルばねを含むことを特徴とする，請求項１１に記載のスプーンおよび箸の供給装置。
【請求項１３】
前記ケース部および前記回転調節部のうち，少なくとも一つに形成されて，前記スプーン／箸収納溝に収納された前記スプーン／箸を整列させる整列部をさらに含むことを特徴とする，請求項２に記載のスプーンおよび箸の供給装置。
【請求項１４】
前記整列部は，前記開口カバーおよび前記回転調節部のうち少なくとも一つの表面から突出し，前記ケース本体の軸線に沿って直径が縮小される略円錘形の形状を有していることを特徴とする，請求項１３に記載のスプーンおよび箸の供給装置。
【請求項１５】
前記開口カバーおよび前記回転調節部のうち少なくとも一つの表面に隣接した前記整列部の外面の直径は，前記スプーン／箸収納部のスプーン／箸収納溝の底部によって形成された直径より小さいことを特徴とする，請求項１４に記載のスプーンおよび箸の供給装置。
【請求項１６】
前記ケース部のスプーン／箸排出口を通して排出される前記スプーン／箸を案内するガイド部をさらに含むことを特徴とする，請求項１に記載のスプーンおよび箸の供給装置。
【発明の詳細な説明】
【技術分野】
【０００１】
本発明はスプーンおよび箸の供給装置に関し，より詳細には，複数のスプーンおよび箸のセットを簡便に収納および排出できるスプーンおよび箸の供給装置に関する。
【背景技術】
【０００２】
一般的に，スプーン／箸用容器は，複数のスプーンおよび箸のセットを収納・保管できる空間を有し，使用者が必要によってスプーンおよび箸を取り出す。
【０００３】
このようなスプーン／箸用容器は様々な種類があり，蓋がなく食卓に立たせる筒型のものと，蓋があり食卓に横にしておくボックス型のものに大きく区分される。一般に，筒型のスプーン／箸用容器は，スプーンと箸を収納するスプーンおよび箸の収納空間を有していて，ボックス型のスプーン／箸用容器は，スプーンおよび箸の収納空間内部に設けられた支持板上にスプーンと箸を収納するようになっている。
【０００４】
しかし、従来のスプーン／箸用容器の多くは、複数のスプーンと箸のセットを収納空間に収納しておき，使用者が，必要時に，複数のスプーンと箸の中から１セットを取り出すために，蓋を開けるという構造になっている。そのため，公共の飲食店で利用される場合，不特定の人がスプーンと箸に触れる可能性があり、衛生上の問題がある。さらに，スプーンと箸の１セットだけを取り出すことが難しいという問題がある。
【０００５】
上記のような問題点を解決するため，押圧する動作によって、スプーンと箸が自動的に排出されるスプーン／箸用容器（名称：衛生的なスプーン／箸用容器、韓国実用新案登録出願番号：１９９８−０００１９４０で開示）が提案されている。しかし，これはスプーンと箸がそれぞれ別途に収容され，排出される複雑な構造を有しており，それゆえに機能性および実用性についても劣っている。
【発明の開示】
【発明が解決しようとする課題】
【０００６】
従って，本発明の目的は，スプーンと箸の収納および排出構造を改善して，複数のスプーンと箸のセットを簡単かつ便利に収納できるだけでなく，収納された複数のスプーンと箸のセットを順次に１セットずつ排出できるスプーンおよび箸の供給装置を提供することである。
【課題を解決するための手段】
【０００７】
本発明の付加的な観点および効果は，一部以下に説明され，一部その記述から明白になるであろう。また，本発明の実施によっても知得できる可能性がある。
【０００８】
本発明の上述の，および他の観点は，スプーン／箸排出口が形成されたケース部と；複数のスプーン／箸のセットを収納し，上記ケース部内に回転可能に収容されたスプーン／箸収納部と；上記スプーン／箸収納部に収納されたスプーン／箸が順次排出されるように，上記スプーン／箸収納部の回転を調節し，上記スプーン／箸収納部に結合された回転調節部と；を含むことを特徴とする，スプーンおよび箸の供給装置を提供することによって達成される。
【０００９】
本発明のある観点によれば，上記ケース部は，上記スプーン／箸収納部が収容されるケース本体と；上記スプーン／箸収納部にスプーン／箸を挿入させる，上記ケース本体に取り外し可能に結合された開口カバーと；を含む。
【００１０】
本発明のある観点によれば，上記ケース本体および上記開口カバーのうち，いずれか一方には結合突起が形成され，他方には上記結合突起と対応した結合ホールが形成される。
【００１１】
本発明のある観点によれば，上記スプーン／箸収納部は，回転可能に上記回転調節部と結合された回転軸と；上記回転軸と全体的に回転される回転体と；複数のスプーン／箸収納空間が形成され，上記回転体の外周面上に軸方向に配置された複数のスプーン／箸収納溝と；を含む。
【００１２】
本発明のある観点によれば，上記回転調節部は，上記ケース部に結合されたカバー部材と；上記カバー部材を貫通して，上記スプーン／箸収納部の回転軸と結合された回転調節レバーと；を含む。
【００１３】
本発明のある観点によれば，上記回転調節部は，上記ケース部に結合されたカバー部材と；上記カバー部材に内蔵されて，上記スプーン／箸収納部の回転軸と結合され，複数の掛け部が外周に沿って形成された回転部材と；上記カバー部材に設けられ，上記回転部材を段階的に回転するように掛け部を加圧する加圧部材と；を含む。
【００１４】
本発明のある観点によれば，上記加圧部材は，上記カバー部材の外部に突出したボタンと；上記ボタンの一端部から伸長した延長ロッドと；上記ボタンを弾力的に支持する第１弾性部材と；上記ボタンが押圧される動作に連動し，上記回転部材の掛け部を加圧する加圧バーと；を含む。
【００１５】
本発明のある観点によれば，上記回転部材の一表面には，放射状に複数のリブが突出形成され，上記延長ロッドと接触および離隔される第１羽根部と，上記回転部材のリブと接触および離隔される第２羽根部とを有し，上記カバー部材にヒンジ動作をするように結合され，上記回転部材の回転を制限するストッパーをさらに含む。
【００１６】
本発明のある観点によれば，上記ボタンが押圧されるとき，上記加圧部材の延長ロッドが上記ストッパーの第１羽根部に接触すると同時に，上記回転部材のリブが上記ストッパーの第２羽根部と接触する。
【００１７】
本発明のある観点によれば，上記第１弾性部材は，コイルばねを含む。
【００１８】
本発明のある観点によれば，上記カバー部材および上記回転部材の第１表面のうち，少なくとも一方には複数の支持突起が形成され，他方には上記支持突起と対応して複数の支持溝が形成され，上記ボタンが押圧されると，上記支持突起および上記支持溝が，相互に弾力的に係合され，上記第１カバー部材に対応して上記回転部材の位置を維持できるように，上記回転部材の第２表面と上記カバー部材の間に挟まれた第２弾性部材をさらに含む。
【００１９】
本発明のある観点によれば，上記第２弾性部材は，コイルばねを含む。
【００２０】
上記ケース部および上記回転調節部のうち，少なくとも一つに形成されて，上記スプーン／箸収納溝に収納された上記スプーン／箸を整列させる整列部をさらに含んでもよい。
【００２１】
本発明のある観点によれば，上記整列部は，上記開口カバーおよび上記回転調節部のうち少なくとも一つの表面から突出し，上記ケース本体の軸線に沿って直径が縮小される略円錘形の形状を有する。
【００２２】
本発明のある観点によれば，上記開口カバーおよび上記回転調節部のうち少なくとも一つの表面に隣接した上記整列部の外面の直径は，上記スプーン／箸収納部のスプーン／箸収納溝の底部によって形成された直径より小さい。
【００２３】
本発明のある観点によれば，上記ケース部のスプーン／箸排出口を通して排出される上記スプーン／箸を案内するガイド部をさらに含む。
【発明の効果】
【００２４】
本発明によると，複数のスプーンおよび箸のセットを簡単かつ便利に収納できるだけでなく収納された複数のスプーンおよび箸のセットを順次に１セットずつ排出できる。
【発明を実施するための最良の形態】
【００２５】
以下，添付図を参照して，本発明の実施形態を説明すると次のようになる。
【００２６】
図１は，本発明の一実施形態にかかるスプーンおよび箸の供給装置の斜視図，図２は，図１の分解斜視図，図３は，図１のＩＩＩ−ＩＩＩ線による断面図である。
【００２７】
図示された通り，スプーンおよび箸の供給装置は，スプーン／箸排出口２４が形成されたケース部２０と，複数のスプーン／箸１０のセットを収納し，ケース部２０内に回転可能となるように収容されたスプーン／箸収納部３０と，スプーン／箸収納部３０に収納されたスプーン／箸１０が順次に排出されるように，スプーン／箸収納部３０の回転を調節し，スプーン／箸収納部３０に結合された回転調節部４０を有する。
【００２８】
ケース部２０は，合成樹脂材で形成されて，塵埃のような外部の異物からスプーン／箸１０を保護する役割を果たし，スプーン／箸収納部３０が収容されるケース本体２２と，スプーン／箸１０をスプーン／箸収納部３０に収納できるようにケース本体２２に取り外し可能なように結合された開口カバー２５とを有する。
【００２９】
ケース本体２２は，スプーン／箸収納部３０に収納されたスプーン／箸１０が回転によって離散しないように，スプーン／箸収納部３０をコンパクトに収容する。また，ケース本体２２の両端は，スプーン／箸収納部３０の周囲に配置されたスプーン／箸１０のうちのスプーンのくぼみ部を収容するように直径が拡張した形状を有する。また，ケース本体２２には，スプーン／箸１０がスプーン／箸収納部３０から排出されるようにスプーン／箸排出口２４が形成されている。
【００３０】
そして，開閉される開口カバー２５を支持するため，ケース本体２２には，一対の結合突起２７が形成され，開口カバー２５には，開口カバー２５の結合突起２７と対応した複数の結合ホール２８が形成されている。同様に，ケース部２０と回転調節部４０も結合突起２７’と結合ホール２８’によって結合される。ここで，カバーとケース本体の結合構造は，必要に応じて公知技術を選択的に適用することができる。
【００３１】
一方，ケース本体２２に対向する側の開口カバー２５の表面には，スプーン／箸収納溝３６に収納されたスプーン／箸１０を整列するための整列部２９が形成されている。整列部２９は，開口カバー２５の表面からケース本体２２の軸線に沿って直径が縮小するように，円錐形の形状を有している。整列部２９の先端領域には，後述するスプーン／箸収納部３０の回転軸３２の一端を回転可能に支持する回転軸支持溝２６が形成されている。ここで，整列部２９の外面の直径（φｄ）は，スプーン／箸収納部３０のスプーン／箸収納溝３６の底部直径（φＤ）より小さいことが望ましい。その結果，スプーン／箸１０がスプーン／箸収納部３０のスプーン／箸収納溝３６に収納されるとき，スプーン／箸１０の末端部が整列部２９の傾斜面２９ａに接触すると，スプーン／箸１０の末端は整列部２９の傾斜面２９ａに沿って滑り，図４に図示するように，各スプーン／箸１０の末端部は，開口カバー２５の表面に移動するようになる。これにより，各スプーン／箸１０は，開口カバー２５の表面に隣接する整列部２９の周囲に沿って整列され，それと同時に，ケース本体２２の軸線とほとんど平行に整列される。特に，箸は‘Ｘ’字形状に交差されることなく収納される。その結果，スプーン／箸１０が排出されるとき，整列部２９は，スプーン／箸１０をスプーン／箸排出口２４を通してまっすぐに整列して排出させる。
【００３２】
スプーン／箸収納部３０は，回転調節部４０と回転可能に結合された回転軸３２と，回転軸３２ともに全体的に回転される回転体３４とを有する。回転体３４は，複数のスプーン／箸を収納する空間が形成された複数のスプーン／箸収納溝３６を有する。当該複数のスプーン／箸収納溝３６は，スプーン／箸収納部３０の軸方向に平行に形成されており，回転体３４の外周面上に所定のピッチを有して形成されている。ここで，スプーン／箸収納空間は，回転体３４の外周面上に所定の間隔で放射状に設けられた複数の隔壁によって形成されることもできる。
【００３３】
回転軸３２は様々な構造を有することができ，たとえば，回転軸が回転体３４に貫通されたり，２つの回転軸部分が回転体３４の両側面に結合される構造とすることができる。
【００３４】
回転軸３２の一端は，開口カバー２５に形成された回転軸支持溝２６に挿入支持される。回転体３４は円筒形状を有するとすることができるが，その形状に限られず，様々な大きさおよび形状とすることが可能である。そして，スプーン／箸収納溝３０の深さは，ケース本体２２の両端の直径を拡張しなくてもスプーンを収納するように，調節してもよい。
【００３５】
スプーン／箸収納溝３６によって形成されたスプーン／箸の収納空間の数は，回転体３４の大きさや，スプーン／箸１０の種類などの条件に応じて，選択的に調節してもよい。
【００３６】
ケース部２０のスプーン／箸排出口２４には，スプーン／箸排出口２４を通して排出されたスプーン／箸１０を案内するフック形状のガイド部７０が備わっており，その大きさおよび形状は必要に応じて様々に変形可能である。
【００３７】
本実施形態において，スプーン／箸１０は，スプーン，箸，またはスプーンおよび箸のセットを含む。そして，スプーン／箸収納部３０は，スプーン，箸，またはスプーンおよび箸の複数のセットを選択的に収納できる。
【００３８】
図５は，図１の回転調節部を図示した分解斜視図で，図６ａおよび図６ｂは，図５の回転調節部の作動状態図で，図７ａおよび図７ｂは，図５の回転調節部の作動による回転部材の結合状態を図示した断面図である。
【００３９】
これらに図示された通り，回転調節部４０は，ケース部２０（図１参照）に結合された第１カバー部材４２と，第２カバー部材４２’と，外周に沿って複数の掛け部４３が形成され，スプーン／箸収納部３０の回転軸３２と結合された回転部材４４と，回転部材４４を回転させる加圧部材４６と，回転部材４４の回転を制限するストッパー５５とを有する。
【００４０】
第１，第２カバー部材４２，４２’は，回転部材４４を間に収容するように内部空間を形成して結合される。
【００４１】
回転部材４４に形成された掛け部４３の数は，スプーン／箸収納部３０に形成されたスプーン／箸収納溝３６の数と一致する。なぜなら，回転部材４４の一段階の回転と一致して，スプーン／箸収納部３０を回転することによって，スプーン／箸１０を順次排出するようにするためである。第２カバー部材４２’に対向する側の回転部材４４の第２表面には，所定の長さを有した複数のリブ４５が放射状に突出している。各リブ４５間の間隔は，スプーン／箸収納部３０のスプーン／箸収納溝３６の間のピッチに対応しており，回転部材４４のリブ４５の数は，スプーン／箸収納溝３６の数と一致する。
【００４２】
加圧部材４６は，第１，第２カバー部材４２，４２’のそれぞれの外部に突出したボタン４７と，ボタン４７の一端から伸長した延長ロッド４７ａと，ボタン４７を弾力的に支持する第１弾性部材４８と，ボタン４７を押圧する動作に連動し，回転部材４４の掛け部４３を加圧する加圧バー４９とを有する。加圧バー４９は，ボタン４７が加圧され解除されると，回転部材４４の掛け部４３に干渉されずに，バー用ばね４９ａの弾力性により，元の位置に戻ることができるようにヒンジ動作をするように設けられる。
【００４３】
ストッパー５５は，加圧部材４６の延長ロッド４７ａと接触，離隔する第１羽根部５６と，回転部材４４のリブ４５と接触，離隔する第２羽根部５７を有し，ヒンジ動作をするように第２カバー部材４２’に結合されている。ストッパー５５は，ヒンジ５８を中心に回転し，第１羽根部５６が延長ロッド４７ａと接触する接触位置と第１羽根部５６が延長ロッド４７ａと離隔される解除位置との間で動作する。さらに，ヒンジ５８には，ストッパー５５を接触位置から解除位置に弾力的に移動させるねじりばね（図示せず）が装着されている。これにより，ボタン４７が押圧されると，延長ロッド４７ａが下降し，ストッパー５５の第１羽根部５６に接触する。また，同時に，ストッパー５５の第２羽根部５７が回転し，回転部材４４のリブ４５と接触する。その結果，回転部材４４は，スプーン／箸収納溝３６に収納されたスプーン／箸１０の慣性的な回転によって過度に回転されず，一方向に正確に一段階ずつ回転される。そして，スプーン／箸収納溝３６に収納されたスプーン／箸１０の１セットだけが，スプーン／箸排出口２４を通して排出される。次に，ボタン４７の押圧が解除されると，第１弾性部材４８の弾性力によって，ボタン４７と共に延長ロッド４７ａが上昇し，ストッパー５５は，第１羽根部５６と延長ロッド４７ａが離隔される解除位置まで，ねじりばねによって逆に回転する。
【００４４】
一方，回転部材４４の第１表面には，複数の支持突起６２が形成され，回転部材４４と対向する側の第１カバー部材４２の内部表面には，支持突起６２と対応して複数の支持溝６４が形成されている。さらに，第２弾性部材６６が，回転部材４４の第２表面と第２カバー部材４２’の間に挟まれるとすることができる。その結果，ボタン４７が押圧されると，支持突起６２および支持溝６４が相互に弾力的に係合され，第１カバー部材４２に対応して回転部材４４の位置を維持できる。ここで，第１カバー部材４２に形成された支持溝６４は，回転部材４４に形成された掛け部４３と同じ数を有する。また，回転部材４４に形成された支持突起６２の数は，均衡を維持できるように適切に設ければ良い。さらに，支持突起６２および支持溝６４の位置および第２弾性部材６６の位置は，選択的に変更可能である。
【００４５】
支持突起６２，支持溝６４および第２弾性部材６６の代わりに，回転部材４４の一段階ずつの正確な回転をさせるため，回転部材４４の掛け部４３と弾力的に接触する板ばねを対応して設けるなどの様々な方法によって達成することが可能である。
【００４６】
第１弾性部材４８および第２弾性部材６６は，ボタン４７および回転部材４４の弾力的に作動させられる様々な材料のものを適用できる。たとえば，構造が単純で弾性力に富んだコイルばねを使用することができる。
【００４７】
上記の回転調節部４０の構造は，本発明にかかる一実施例であり，それに限られず，様々な構造とすることができる。たとえば，図８に図示するように，回転調節部４０は，カバー部材４２”と；カバー部材４２”を貫通して回転可能に設けられ，スプーン／箸収納部３０の回転軸３２に結合された回転調節レバー５１と，を含むとすることができる。かかる構成は，機能性や実用性が低下するが，手動でも作動可能であるという有利な点がある。
【００４８】
参照番号４８ａは，第１弾性部材４８を支持するための支持プレートを図示し，支持プレート４８ａには，加圧部材４６の延長ロッド４７ａが貫通する貫通孔４８ｂが形成されている。また，参照番号６７は，第２弾性部材６６のずれを防止するための弾性部材を収容する突起を図示する。
【００４９】
上記のスプーンおよび箸の供給装置は，次に示すように操作される。
【００５０】
まず，ケース部２０の開口カバー２５が開けられ，スプーン／箸１０が，スプーン／箸収納部３０の各スプーン／箸収納溝３６にそれぞれ収納された後，開口カバー２５が閉じられる。
【００５１】
この時，スプーン／箸収納部３０のスプーン／箸収納溝３６に収納されたスプーン／箸１０の末端部が，整列部２９の傾斜面２９ａと接触する場合，スプーン／箸１０は整列部２９の傾斜面２９ａに沿って滑り落ちながら，スプーン／箸１０の末端部が開口カバー２５の表面に移動する。これによって，各スプーン／箸１０は，開口カバー２５の表面に隣接する整列部２９の周囲に沿って配置される。それと同時に，ケース本体２２の軸線と平行に整列される。特に，スプーン／箸収納溝３６の一つに収納される一組の箸が’Ｘ’字形状に互いに交差することなく収納される。その結果，複数のスプーン／箸１０のセットが，スプーン／箸収納部３０のスプーン／箸収納溝３６に簡便に収納され，確実に整列される。
【００５２】
そして，ケース部２０の外部に突出されたボタン４７が１回押圧されると，図７ｂに図示された通り，回転部材４４に形成された支持突起６２が，第１カバー部材４２に形成された支持溝６４から離隔し，係合状態から解除される。すると，回転調節部４０の回転部材４４が一段階回転されると同時に，スプーン／箸収納部３０が対応して回転する。そして，スプーン／箸収納溝３６がスプーン／箸排出口２４と一致するとき，スプーン／箸１０がスプーン／箸排出口２４を経て，ガイド部７０にまっすぐに排出される。特に，一組の箸は’Ｘ’字形状に交差することなく整列して排出される。この時，図６ｂに図示された通り，ボタン４７が押圧されると，延長ロッド４７ａが下降し，一方向にストッパー５５を回転するように，ストッパー５５の第１羽根部５６に接触する。ストッパー５５の第２羽根部５７はヒンジ５８を中心に同一方向に回転し，回転部材４４のリブ４５と接触する。その結果，回転部材４４は，スプーン／箸収納溝３６に収納されたスプーン／箸１０の慣性的な回転によって，過度に回転されずに，一方向に正確に一段階回転される。そして，スプーン／箸収納溝３６に収納されたスプーン／箸１０を１セットだけ，スプーン／箸排出口２４を通してまっすぐに排出する。
【００５３】
続いて，ボタン４７の押圧が解除されると，図６ａに図示された通り，加圧部材４６の延長ロッド４７ａが，第１弾性部材４８の弾性力によって上昇され，ストッパー５５は，ねじりばねによって，第１羽根部５６と延長ロッド４７ａが離隔するように逆方向に回転される。同時に，図７ａに図示された通り，回転部材４４に形成された支持突起６２が，第１カバー部材４２に形成された支持溝６４に係合される。その結果，回転調節部４０の回転部材４４の回転，およびスプーン／箸収納部３０の回転が防止される。
【００５４】
上記のように，複数のスプーンおよび箸のセットが収納されるスプーン／箸収納部を回転可能に収容し，スプーン／箸排出口が形成されたケース部と，スプーン／箸収納部に収納されたスプーンおよび箸が順次排出されるように，スプーン／箸収納部の回転を調節し，スプーン／箸収納部と結合された回転調節部と，を形成することによって，複数のスプーンおよそび箸のセットを簡単かつ便利に収納できるだけでなく，収納された複数のスプーンおよび箸のセットを順次に１セットずつ排出できるようになる。
【００５５】
上述した実施形態では，スプーン／箸を整列する整列部は，スプーン／箸収納部に対向する開口カバーの表面に形成されているが，整列部は，スプーン／箸収納部に対向する回転調節部の第１カバー部材の表面に形成されることもできる。また，整列部は，ケース部の開口カバーおよび回転調節部にそれぞれ形成されることもできる。
【００５６】
本発明によると，複数のスプーンおよび箸のセットを簡単かつ便利に収納できるだけでなく収納された複数のスプーンおよび箸のセットを順次に１セットずつ排出できる。
【００５７】
そして，ボタンを押圧する動作によって，スプーン／箸を順次に排出することができ，装置の操作が簡便である。
【００５８】
また，スプーン／箸収納部が回転可能な排出構造を有しているので，装置の大きさを減ずることができ，比較的多くのスプーン／箸を収納させることができる。
【００５９】
以上，本発明の実施形態の一部について図示し説明したが，当業者であれば，特許請求の範囲に記載された技術的思想の範疇内において，各種の変更例に想到しうることは明らかであり，それらについても当然に技術的範囲に属するものと了解される。
【図面の簡単な説明】
【００６０】
【図１】本発明の一実施形態にかかるスプーンおよび箸の供給装置の斜視図である。
【図２】図１の分解斜視図である。
【図３】図１のＩＩＩ−ＩＩＩ線による断面図である。
【図４】図２の整列部のスプーンと箸の整列状態を示した主要部の斜視図である。
【図５】図１の回転調節部を示した分解斜視図である。
【図６ａ】図５の回転調節部の作動状態図である。
【図６ｂ】図５の回転調節部の作動状態図である。
【図７ａ】図５の回転調節部の作動による回転部材の結合状態を示した断面図である。
【図７ｂ】図５の回転調節部の作動による回転部材の結合状態を示した断面図である。
【図８】本発明の他の実施形態にかかる回転調節部の断面図である。
【図１】
2006521831.tif 000003
【図２】
2006521831.tif 000004
【図３】
2006521831.tif 000005
【図４】
2006521831.tif 000006
【図５】
2006521831.tif 000007
【図６ａ】
2006521831.tif 000008
【図６ｂ】
2006521831.tif 000009
【図７ａ】
2006521831.tif 000010
【図７ｂ】
2006521831.tif 000011
【図８】
2006521831.tif 000012
【手続補正書】
【提出日】平成17年2月16日(2005.2.16)
【手続補正１】
【補正対象書類名】特許請求の範囲
【補正対象項目名】全文
【補正方法】変更
【補正の内容】
【特許請求の範囲】
【請求項１】
スプーン／箸排出口が形成されたケース部と；
複数のスプーン／箸のセットを収納し，前記ケース部内に回転可能に収容されたスプーン／箸収納部と；
前記ケース部に結合されたカバー部材と，前記カバー部材を貫通した回転調節レバーと，を有し，前記スプーン／箸収納部に収納されたスプーン／箸が順次排出されるように，前記スプーン／箸収納部の回転を調節し，前記スプーン／箸収納部に回転可能に結合された回転調節部と；
を含むことを特徴とする，スプーンおよび箸の供給装置。
【請求項２】
前記ケース部は，
前記スプーン／箸収納部が収容されるケース本体と；
前記スプーン／箸収納部にスプーン／箸を挿入させる，前記ケース本体に取り外し可能に結合された開口カバーと；
を含むことを特徴とする，請求項１に記載のスプーンおよび箸の供給装置。
【請求項３】
前記ケース本体および前記開口カバーのうち，いずれか一方には結合突起が形成され，
他方には前記結合突起と対応した結合ホールが形成されたことを特徴とする，請求項２に記載のスプーンおよび箸の供給装置。
【請求項４】
前記スプーン／箸収納部は，
回転可能に前記回転調節レバーと結合された回転軸と；
前記回転軸と全体的に回転される回転体と；
複数のスプーン／箸収納空間が形成され，前記回転体の外周面上に軸方向に配置された複数のスプーン／箸収納溝と；
を含むことを特徴とする，請求項１に記載のスプーンおよび箸の供給装置。
【請求項５】
スプーン／箸排出口が形成されたケース部と；
複数のスプーン／箸のセットを収納し，前記ケース部内に回転可能に収容されたスプーン／箸収納部と；
前記ケース部に結合されたカバー部材と；前記カバー部材に内蔵されて，前記スプーン／箸収納部の回転軸と結合され，複数の掛け部が外周に沿って形成された回転部材と；前記カバー部材に設けられ，前記回転部材を段階的に回転するように掛け部を加圧する加圧部材と；を有し，前記スプーン／箸収納部に収納されたスプーン／箸が順次排出されるように，前記スプーン／箸収納部の回転を調節する回転調節部と；
を含むことを特徴とする，スプーンおよび箸の供給装置。
【請求項６】
前記ケース部は，
前記スプーン／箸収納部が収容されるケース本体と；
前記スプーン／箸収納部にスプーン／箸を挿入させる，前記ケース本体に取り外し可能に結合された開口カバーと；
を含むことを特徴とする，請求項５に記載のスプーンおよび箸の供給装置。
【請求項７】
前記ケース本体および前記開口カバーのうち，いずれか一方には結合突起が形成され，
他方には前記結合突起と対応した結合ホールが形成されたことを特徴とする，請求項６に記載のスプーンおよび箸の供給装置。
【請求項８】
前記スプーン／箸収納部は，
回転可能に前記回転部材と結合された回転軸と；
前記回転軸と全体的に回転される回転体と；
複数のスプーン／箸収納空間が形成され，前記回転体の外周面上に軸方向に配置された複数のスプーン／箸収納溝と；
を含むことを特徴とする，請求項５に記載のスプーンおよび箸の供給装置。
【請求項９】
前記加圧部材は，
前記カバー部材の外部に突出したボタンと；
前記ボタンの一端部から伸長した延長ロッドと；
前記ボタンを弾力的に支持する第１弾性部材と；
前記ボタンが押圧される動作に連動し，前記回転部材の掛け部を加圧する加圧バーと；
を含むことを特徴とする，請求項５に記載のスプーンおよび箸の供給装置。
【請求項１０】
前記回転部材の一表面には，放射状に複数のリブが突出形成され，
前記延長ロッドと接触および離隔される第１羽根部と，前記回転部材のリブと接触および離隔される第２羽根部とを有し，前記カバー部材にヒンジ動作をするように結合され，前記回転部材の回転を制限するストッパーをさらに含むことを特徴とする，請求項９に記載スプーンおよび箸の供給装置。
【請求項１１】
前記ボタンが押圧されるとき，前記加圧部材の延長ロッドが前記ストッパーの第１羽根部に接触すると同時に，前記回転部材のリブが前記ストッパーの第２羽根部と接触することを特徴とする，請求項１０に記載のスプーンおよび箸の供給装置。
【請求項１２】
前記第１弾性部材は，コイルばねを含むことを特徴とする，請求項９に記載のスプーンおよび箸の供給装置。
【請求項１３】
前記カバー部材および前記回転部材の第１表面のうち，少なくとも一方には複数の支持突起が形成され，
他方には前記支持突起と対応して複数の支持溝が形成され，
前記ボタンが押圧されると，前記支持突起および前記支持溝が，相互に弾力的に係合され，前記第１カバー部材に対応して前記回転部材の位置を維持できるように，前記回転部材の第２表面と前記カバー部材の間に挟まれた第２弾性部材をさらに含むことを特徴とする，請求項９に記載のスプーンおよび箸の供給装置。
【請求項１４】
前記第２弾性部材は，コイルばねを含むことを特徴とする，請求項１３に記載のスプーンおよび箸の供給装置。
【請求項１５】
前記ケース部および前記回転調節部のうち，少なくとも一つに形成されて，前記スプーン／箸収納溝に収納された前記スプーン／箸を整列させる整列部をさらに含むことを特徴とする，請求項１または５に記載のスプーンおよび箸の供給装置。
【請求項１６】
前記整列部は，前記開口カバーおよび前記回転調節部のうち少なくとも一つの表面から突出し，前記ケース本体の軸線に沿って直径が縮小される略円錘形の形状を有していることを特徴とする，請求項１５に記載のスプーンおよび箸の供給装置。
【請求項１７】
前記開口カバーおよび前記回転調節部のうち少なくとも一つの表面に隣接した前記整列部の外面の直径は，前記スプーン／箸収納部のスプーン／箸収納溝の底部によって形成された直径より小さいことを特徴とする，請求項１６に記載のスプーンおよび箸の供給装置。
【請求項１８】
前記ケース部のスプーン／箸排出口を通して排出される前記スプーン／箸を案内するガイド部をさらに含むことを特徴とする，請求項１または５に記載のスプーンおよび箸の供給装置。
【手続補正２】
【補正対象書類名】明細書
【補正対象項目名】０００８
【補正方法】変更
【補正の内容】
【０００８】
本発明の上述の，および他の観点は，スプーン／箸排出口が形成されたケース部と；複数のスプーン／箸のセットを収納し，上記ケース部内に回転可能に収容されたスプーン／箸収納部と；上記ケース部に結合されたカバー部材と，上記カバー部材を貫通した回転調節レバーと，を有し，上記スプーン／箸収納部に収納されたスプーン／箸が順次排出されるように，上記スプーン／箸収納部の回転を調節し，上記スプーン／箸収納部に回転可能に結合された回転調節部と；を含むことを特徴とする，スプーンおよび箸の供給装置を提供することによって達成される。
【手続補正３】
【補正対象書類名】明細書
【補正対象項目名】００１１
【補正方法】変更
【補正の内容】
【００１１】
本発明のある観点によれば，上記スプーン／箸収納部は，回転可能に上記回転調節レバーと結合された回転軸と；上記回転軸と全体的に回転される回転体と；複数のスプーン／箸収納空間が形成され，上記回転体の外周面上に軸方向に配置された複数のスプーン／箸収納溝と；を含む。
【手続補正４】
【補正対象書類名】明細書
【補正対象項目名】００１２
【補正方法】変更
【補正の内容】
【００１２】
スプーン／箸排出口が形成されたケース部と；複数のスプーン／箸のセットを収納し，上記ケース部内に回転可能に収容されたスプーン／箸収納部と；上記ケース部に結合されたカバー部材と；上記カバー部材に内蔵されて，上記スプーン／箸収納部の回転軸と結合され，複数の掛け部が外周に沿って形成された回転部材と；上記カバー部材に設けられ，上記回転部材を段階的に回転するように掛け部を加圧する加圧部材と；を有し，上記スプーン／箸収納部に収納されたスプーン／箸が順次排出されるように，上記スプーン／箸収納部の回転を調節する回転調節部と；を含むことを特徴とする，スプーンおよび箸の供給装置が提供される。
【手続補正５】
【補正対象書類名】明細書
【補正対象項目名】００１３
【補正方法】変更
【補正の内容】
【００１３】
本発明のある観点によれば，上記ケース部は，上記スプーン／箸収納部が収容されるケース本体と；上記スプーン／箸収納部にスプーン／箸を挿入させる，上記ケース本体に取り外し可能に結合された開口カバーと；を含む。
本発明のある観点によれば，上記ケース本体および上記開口カバーのうち，いずれか一方には結合突起が形成され，他方には上記結合突起と対応した結合ホールが形成される。
本発明のある観点によれば，上記スプーン／箸収納部は，回転可能に上記回転部材と結合された回転軸と；上記回転軸と全体的に回転される回転体と；複数のスプーン／箸収納空間が形成され，上記回転体の外周面上に軸方向に配置された複数のスプーン／箸収納溝と；を含む。
【国際調査報告】
2006521831.tif 000013